(57)【特許請求の範囲】
【請求項１】
機枠の下部に水平方向にのびる引き込み用部材を設け、前記機枠の上部に前記引き込み用部材と直交して水平方向にのびる引き出し用部材を設け、前記引き込み用部材と前記引き出し用部材の間に、前記引き込み用部材の一側方から前記引き込み用部材の下側面に沿って上方に誘導された連続帳票の一方の面のほぼ幅方向中央部の定点を押圧する第１の押圧部材と、前記連続帳票の他方の面における前記定点よりも長さ方向上方に位置する部位を挟圧して前記連続帳票をほぼ幅方向中央部において長さ方向に沿って連続して折り曲げる第１の折り曲げ手段と、前記連続帳票の他方の面の幅方向中央部から左右両側に所定間隔を隔てた一対の定点を押圧する第２の押圧部材と、前記連続帳票の一方の面における前記一対の定点よりも長さ方向上方に位置する左右一対の部位をそれぞれ挟圧して前記連続帳票を左右両側において長さ方向に沿って前記第１の折り曲げ手段の折り曲げ方向と背反する方向に連続して折り曲げる第２の折り曲げ手段とを、下から前記第２の押圧部材、前記第１の押圧部材、前記第１の折り曲げ手段、前記第２の折り曲げ手段の順に配置して設け、前記第１及び第２の折り曲げ手段によって四つ折りされた連続帳票を前記引き出し用部材の上側面に沿って一側方に誘導するようにしたことを特徴とする連続帳票の折り畳み装置。
【発明の詳細な説明】
【０００１】
【発明の属する技術分野】
本発明は、連続帳票を長さ方向に沿って連続して四つ折りする装置に関するものである。
【０００２】
【従来の技術】
コンピュータによってデータが印字処理された封書や葉書を高速度で連続して作成するために、図９に示すように、長さ方向に所定の間隔をおいて設けられた切断用横断線２０２、２０２、・・・によって多数の単位帳票２０５、２０５、・・・に区画され、各単位帳票２０５、２０５、・・・にデータが印字処理された連続帳票２０１を切断用横断線２０２と直交する方向に設けられた折曲線２０６、２０６に沿って断面Ｓ字形やＣ字形に三つ折りし、各単位帳票２０５の印字領域２０５ａ〜２０５ｃ間を予め塗布された感圧接着剤等によってした接着した後、連続帳票２０１を切断用横断線２０２、２０２、・・・に沿って分断して個々の封書や葉書とするようにした技術が知られている。
【０００３】
【発明が解決しようとする課題】
この種の郵便物に印字される情報量は次第に増加しつつあり、三つの印字領域では印字面積が不十分になってきているため、四つの印字領域を有する四つ折りの郵便物が要望されている。従来は、四つ折りの連続帳票の用紙幅に対応可能なプリンタが存在していなかったため、四つ折りの郵便物の開発も行われていなかったが、最近、最大１８インチまでの用紙幅に対応可能なプリンタが開発され、四つ折りの連続帳票にプリントアウトができるようになったため、四つ折りの封書の開発が行われ始めている。そして、それに伴って、プリントアウトされた連続帳票を自動的に四つ折りする装置が要望されるようになった。
【０００４】
本発明は上述した事情に鑑みてなされたものであって、その目的は、連続帳票を長さ方向に沿って連続して四つ折りする装置を提供することにある。
【０００５】
【課題を解決するための手段】
上述した目的を達成するために、本発明に係る連続帳票の折り畳み装置は、機枠の下部に水平方向にのびる引き込み用部材を設け、前記機枠の上部に前記引き込み用部材と直交して水平方向にのびる引き出し用部材を設け、前記引き込み用部材と前記引き出し用部材の間に、前記引き込み用部材の一側方から前記引き込み用部材の下側面に沿って上方に誘導された連続帳票の一方の面のほぼ幅方向中央部の定点を押圧する第１の押圧部材と、前記連続帳票の他方の面における前記定点よりも長さ方向上方に位置する部位を挟圧して前記連続帳票をほぼ幅方向中央部において長さ方向に沿って連続して折り曲げる第１の折り曲げ手段と、前記連続帳票の他方の面の幅方向中央部から左右両側に所定間隔を隔てた一対の定点を押圧する第２の押圧部材と、前記連続帳票の一方の面における前記一対の定点よりも長さ方向上方に位置する左右一対の部位をそれぞれ挟圧して前記連続帳票を左右両側において長さ方向に沿って前記第１の折り曲げ手段の折り曲げ方向と背反する方向に連続して折り曲げる第２の折り曲げ手段とを、下から前記第２の押圧部材、前記第１の押圧部材、前記第１の折り曲げ手段、前記第２の折り曲げ手段の順に配置して設け、前記第１及び第２の折り曲げ手段によって四つ折りされた連続帳票を前記引き出し用部材の上側面に沿って一側方に誘導するようにしたことを特徴とするものである。
【０００６】
【発明の実施の形態】
以下、本発明の具体的な実施形態を図面を参照しながら説明する。
図１は本発明の一実施形態である連続帳票の折り畳み装置１の斜視図、図２は折り畳み装置１の左側面図、図３は図２のＡ方向矢視図、図４は連続帳票１０１の斜視図、図５は連続帳票１０１を裏側から見た平面図、図６は折り畳み装置１による連続帳票１０１の折り畳み方法の説明図、図７は四つ折りされた連続帳票１０１の斜視図、図８は連続帳票１０１によって形成された郵便物Ｍの平面図である。
【０００７】
図４に示すように、連続帳票１０１は、長さ方向に所定の間隔をおいて設けられたミシン目状の切断用横断線１０２、１０２、・・・と、両側縁に沿って設けられた移送用のマージナルホール列１０３、１０３と、各マージナルホール列１０３、１０３の内側に設けられた長さ方向にのびる一対のミシン目状の切離線１０４、１０４とを有し、切断用横断線１０２、１０２、・・・によって多数の単位帳票１０５、１０５、・・・に区画されている。
【０００８】
また、連続帳票１０１には、幅方向中央部と、一方の側縁からほぼ１／４幅の位置と、一方の側縁からほぼ３／４幅の位置とに長さ方向にのびるミシン目状の折曲線１０６が設けられており、これらによって、各単位帳票１０５が第１〜第４の領域１０５ａ〜１０５ｄに区画されている。図５に示すように、第４の領域１０５ｄの一方の面は宛名印字欄、第１〜第３の領域１０５ａ〜１０５ｃの一方の面は個人別の可変情報が印字される欄になっており、これらの欄には、コンピュータに接続されたプリンタによって情報が印字処理されている。また、第１〜第４の領域１０５ａ〜１０５ｄの他方の面には広告等の固定情報が印刷されている。
【０００９】
図１〜図３に示すように、折り畳み装置１は機枠２を備えており、機枠２は、前端側に連続帳票１０１を載置する載置面３ａを有する台座３と、台座３の後端部中央に垂直方向にのびるように立設された支柱４と、載置面３ａの後方に位置し、台座３の両側端部上に前方に向かって斜め上方にのびるように立設された左右一対の角柱状の第１の支持部材５、５と、支持部材５、５の後面下端部上に垂直方向にのびるように立設された左右一対の板状の第２の支持部材６、６とを備えている。
【００１０】
載置面３ａの後方には左右に水平にのびる引き込み用ロール７が設けられている。また、支柱４の前面上端部には前方に向かって水平にのびる左右一対の引き出し用ロール８、８が設けられており、引き出し用ロール８、８間には、四つ折りされた連続帳票１０１が通過することができる幅の隙間が形成されている。
【００１１】
第１の支持部材５、５の前面の上端部には、前方に向かって水平にのびる第１の支持板９が設けられており、第１の支持板９、９の先端部の外側面には、前方に向かって斜め上方にのびる第２の支持板１０が設けられている。第２の支持板１０、１０間には左右に水平にのびる誘導ロール１１が架設されており、載置面３ａに載置された連続帳票１０１はこの誘導ロール１１の上側面に沿って鋭角状に折り曲げられた状態で引き込み用ロール７の下側面に誘導される。また、第１の支持板９、９間には、誘導ロール１１によって誘導される連続帳票１０１を押さえる押さえロール１２が架設されている。
【００１２】
第１の支持部材５、５間には左右に水平にのびる棒状の取付部材１３が架設されており、この取付部材１３の中央部には、棒状の第１の押圧部材１４が後方に向かって斜め上方にのびるように取り付けられている。押圧部材１４の先端には球状の押圧部１４ａが設けられており、この押圧部１４ａが引き込み用ロール７の下側面に沿って上方に誘導された連続帳票１０１の幅方向中央部に設けられた折曲線１０６上の一点を押圧する。
【００１３】
第２の支持部材６、６の上端部間には左右に水平にのびる板状の支持杆１５が架設されており、支持杆１５の後面中央部には三枚の軸受板１６〜１８が上方に向けて突出するように取り付けられている。軸受板１６〜１８の後面上端部にはそれぞれ後方に向けて突出する水平支軸１９（図１、図２参照）が立設されており、各水平支軸１９にはそれぞれローラ２０が回転自在に支承されている。ローラ２０、２０間には連続帳票１０１の左右両側の谷折り部分（後述）が通過し得る幅の隙間が形成されている。
【００１４】
支柱４の前面下部には取付板２１が取り付けられており、該取付板２１の前面には前方に向けて突出する左右一対の水平支軸２２（図２参照）が立設されており、各水平支軸２２にはそれぞれローラ２３（図２、図３参照）が回転自在に支承されている。ローラ２３、２３間には、連続帳票１０１の幅方向中央部の山折り部分（後述）が通過し得る幅の隙間が形成されている。なお、図２に示すように、ローラ２３、２３は第１の押圧部材１４の押圧部１４ａの上方に位置し、ローラ２３、２３の下端と押圧部１４ａの上端との間隔は３〜５ｃｍ程度に設定されている。
【００１５】
支柱４の前面における取付板２１の下方の位置にはコの字形に形成された棒状の第２の押圧部材２４が取り付けられている。第２の押圧部材２４は、連続帳票１０１のほぼ１／２幅の間隔をおいて平行にのびる左右一対の腕部２４ａ、２４ａ（図３参照）を有しており、これらの腕部２４ａ、２４ａが前方に向けて水平にのびるように取り付けられている、各腕部２４ａの先端部には球状の押圧部２４ｂが設けられており、この押圧部２４ｂは引き込み用ロール７の下側面に沿って上方に誘導された連続帳票１０１の左右両側に設けられた折曲線１０６、１０６上の一点を押圧する。
【００１６】
なお、図示しないが、折り畳み装置１の後方には、折り畳み装置１によって四つ折りされた連続帳票１０１（図７参照）を個々の郵便物に形成する処理装置が配置されている。この処理装置は、四つ折りされた連続帳票１０１の両面を挟圧し、各印字領域１０５ａ〜１０５ｄにあらかじめ塗布された感圧接着剤によって印字領域１０５ａ〜１０５ｄ間を接着し、接着された連続帳票１０１のマージナルホール列１０３を含む側端部を切離線１０４より内側の位置でスリットし、スリットされた連続帳票１０１を切断用横断線１０２に沿って個々の郵便物に分断する。
【００１７】
次に、折り畳み装置１の動作を説明する。
まず、連続帳票１０１の装着方法について説明すると、切断用横断線１０２に沿って折り重ねられた連続帳票１０１が載置面３ａ上に載置され、その先端部が誘導ロール１１の上側面に導かれ、誘導ロール１１と押さえロール１２の間を通して引き込み用ロール７に導かれ、引き込み用ロール７の下側面に沿って上方に引っ張り出される。
【００１８】
引き込み用ロール７によって上方に導かれた連続帳票１０１は、図６（ａ）に示すように、一方の面の幅方向中央部の折曲線１０６上の一点が第１の押圧部材１４の押圧部１４ａによって押圧され、他方の面の左右両側の折曲線１０６、１０６上の一点が第２の押圧部材２４の押圧部２４ｂ、２４ｂによって押圧されるため、断面Ｗ字状に撓む。そして、図６（ｂ）に示すように、連続帳票１０１の先端部の幅方向中央部が折曲線１０６に沿って山折りされ、山折りされた部分がローラ２３、２３間に通され、さらに、図６（ｃ）に示すように、先端部の左右両側が折曲線１０６、１０６に沿って谷折りされ、谷折りされた部分がそれぞれローラ２０、２０間に通される。ローラ２０、２０間を通過した連続帳票１０１は、図７に示すように、長さ方向に沿って四つ折りされた状態となっており、その先端部は引き出し用ロール８、８間に通され、一方の引き出し用ロール８の上側面に沿って一側方に引っ張り出され、前記処理装置に装着される。
【００１９】
処理装置を駆動すると、連続帳票１０１における載置面３ａ上方側の部分が先端側から順次引っ張り出され、誘導ロール１１と押さえロール１２の間を通って引き込み用ロール７に誘導され、引き込み用ロール７の下側面に沿って上方に誘導され、他方の面の左右両側の折曲線１０６、１０６上の一点が第２の押圧部材２４の押圧部２４ｂ、２４ｂによって押圧され、一方の面の幅方向中央部の折曲線１０６上の一点が第１の押圧部材１４の押圧部１４ａによって押圧され、ローラ２３、２３によって他方の面の幅方向中央部が挟圧されて山折りされ、ローラ２０、２０、２０によって一方の面の左右両側が挟圧されて谷折りされる。四つ折りされた連続帳票は引き出し用ロール８、８間を通って処理装置に誘導され、両面が挟圧されて各印字領域１０５ａ〜１０５ｄ間が接着され、マージナルホール列１０３を含む側端部が切離線１０４より内側の位置でスリットされ、切断用横断線１０２に沿って分断されて、図８に示すような個々の郵便物Ｍが形成される。
【００２０】
なお、本発明は上述した実施形態に限定されるものではなく、特許請求の範囲に記載された事項の範囲内において他の形態で実施することもできる。
【００２１】
【発明の効果】
以上説明したように、本発明によれば、連続帳票を長さ方向に沿って連続して四つ折りすることができる。
【図面の簡単な説明】
【図１】  本発明の一実施形態である折り畳み装置１の斜視図。
【図２】  図１の折り畳み装置１の左側面図。
【図３】  図２のＡ方向矢視図。
【図４】  連続帳票１０１の斜視図。
【図５】  図１の連続帳票１０１を裏側から見た平面図。
【図６】  折り畳み装置１による連続帳票１０１の折り畳み方法の説明図。
【図７】  四つ折りされた連続帳票１０１の斜視図。
【図８】  連続帳票１０１によって形成された郵便物Ｍの平面図。
【図９】  従来の三つ折りの連続帳票２０１の斜視図。
【符号の説明】
２  機枠
７  引き込み用ロール（引き込み用部材）
８  引き出し用ロール（引き出し用部材）
１４  第１の押圧部材
２０  ローラ（第２の折り曲げ手段）
２３  ローラ（第１の折り曲げ手段）
２４  第２の押圧部材
１０１  連続帳票
【図１】
0003966586.tif 000002
【図２】
0003966586.tif 000003
【図３】
0003966586.tif 000004
【図４】
0003966586.tif 000005
【図５】
0003966586.tif 000006
【図６】
0003966586.tif 000007
【図７】
0003966586.tif 000008
【図８】
0003966586.tif 000009
【図９】
0003966586.tif 000010